(57)【要約】【課題】昇降路電線と分岐線との連結を容易に行うことできるようにする技術を提供することを目的とする。【解決手段】平面帯状の被覆内部に複数の通信線が配置された昇降路電線と；昇降路電線の各通信線とホールボタンまたはインジケーターを互いに連結する分岐線と；一側で昇降路電線の被覆を切開した後に内側に挿入して各通信線と接続される入力端子と他側で前記分岐線と接続される出力端子とが一体的に形成された電線端子体が装着された端子ブロックと；一側で分岐線の被覆を切開した後に内側に挿入されて各通信線と接続される入力端子部と他側で前記昇降路電線と接続される出力端子部とが一体的に形成された分岐端子体が装着された分岐ブロックと；昇降路電線と端子ブロックを互いに固定させる第１固定ブロックと；分岐線と分岐ブロックを互いに固定させる第２固定ブロックと；カバーとを含んでなる。【選択図】  図２
2012030969.tif 000002
【特許請求の範囲】
【請求項１】
平面帯状の被覆内部に複数の通信線が一定間隔で離隔して平行に配置された昇降路電線と；
昇降路電線の各通信線とホールボタンまたはインジケーターを互いに連結する分岐線と；
前記昇降路電線の一側面をカバーし、一側で昇降路電線の被覆を切開した後に内側に挿入されて各通信線と接続される入力端子と他側で前記分岐線と接続される出力端子とが一体的に形成された電線端子体が装着された端子ブロックと；
前記分岐線の一側面をカバーし、一側で分岐線の被覆を切開した後に内側に挿入されて各通信線と接続される入力端子部と他側で前記昇降路電線と接続される出力端子部とが一体的に形成された分岐端子体が装着された分岐ブロックと；
前記昇降路電線の他側面をカバーし、前記端子ブロックと圧搾して結合され、通信線と電線端子体が互いに接続された状態で昇降路電線と端子ブロックを互いに固定させる第１固定ブロックと；
前記分岐線の他側面をカバーし、前記分岐ブロックと圧搾して結合され、通信線と分岐端子体が互いに接続された状態で分岐線と分岐ブロックを互いに固定させる第２固定ブロックと；
前記端子ブロックと分岐ブロックの外周面を取り囲んで結合するカバーとを含んでなることを特徴とする、昇降路電線分岐連結構造。
【請求項２】
前記電線端子体は、前記昇降路電線の内部に平行に配置された通信線に接続された後に短絡を防止するために、ジグザグ状に配列されていることを特徴とする、請求項１に記載の昇降路電線分岐連結構造。
【請求項３】
前記分岐端子体は、前記電線端子体の出力端子と接するために、出力端子部が屈曲されていることを特徴とする、請求項１に記載の昇降路電線分岐連結構造。
【請求項４】
前記端子ブロックと第１固定ブロックとの結合及び前記分岐ブロックと第２固定ブロックとの結合は、フック結合であることを特徴とする、請求項１に記載の昇降路電線分岐連結構造。
【請求項５】
前記端子ブロックと分岐ブロックとの間には密閉リングがさらに備えられることを特徴とする、請求項１に記載の昇降路電線分岐連結構造。
【請求項６】
前記昇降路電線の両側面に備えられ、昇降路電線と接触する端子ブロックと第１固定ブロックとの間を密閉させる防水材を含むことを特徴とする、請求項１に記載の昇降路電線分岐連結構造。
【請求項７】
前記分岐線の両側面に備えられ、分岐線と接触する分岐ブロックと第２固定ブロックとの間を密閉させる防水材を含むことを特徴とする、請求項１に記載の昇降路電線分岐連結構造。
【請求項８】
前記昇降路電線及び分岐線には、通信線が配置された部分の外被に凹溝が形成されており、前記第１固定ブロック及び第２固定ブロックには、前記凹溝に挿入される突起が一定間隔で形成されることを特徴とする、請求項１〜７のいずれか１項に記載の昇降路電線分岐連結構造。
【発明の詳細な説明】
【技術分野】
【０００１】
本発明は昇降路電線分岐連結構造に係り、より詳しくは、昇降機を制御する機械室と建物内側の昇降機出入口の一側に備えられて使用者が各階で昇降機を呼び出すのに使われるホールボタンと、昇降機が位置する階数を指示するインジケーターと、の間の通信のために昇降路の壁面に設置される昇降路電線の分岐連結構造に関する。
【背景技術】
【０００２】
一般に、人と貨物を上階及び下階に運ぶ昇降機には、設置された建物の階ごとに昇降機の出入口の一側壁面に使用者が昇降機を呼び出すためのホールボタンが備えられ、現在、昇降機が位置する階数を実時間で表示するインジケーターが備えられている。前記ホールボタン及びインジケーターは、昇降機が上下に移動する通路である昇降路の上部に備えられ、昇降機を制御する機械室のコントローラーと電気的に連結されて通信がなされる。
【０００３】
この際、前記ホールボタン及びインジケーターと、機械室コントローラーと、を連結する通信用ケーブルは、通常、昇降路電線と呼ばれる。前記昇降路電線は、昇降路の壁面に沿って垂直に固定設置され、各階で分岐されてホールボタン及びインジケーターに連結される。図１は、このような従来の昇降路電線の分岐連結構造を概略的に示す。
従来の昇降路電線１は、断面円形のケーブル状に構成され、電線の被覆内部に複数の通信線が内蔵される。従来は、昇降路電線１を分岐してホールボタン３及びインジケーター４に連結するために、図１に示すように、まず分岐地点で昇降路電線１を円形に作る。その後、ケーブルタイで固定し、円形電線の一側部分の被覆を脱皮した後、各通信線に分岐線２の一端を連結し、分岐線２の他端をホールボタン３及びインジケーター４に連結する方法を用いている。そして、遊動を防止するために、一定間隔で固定クリップまたは固定ブラケットなどのような別途の固定手段で昇降路電線１を昇降路の壁面に固定している。
【０００４】
しかし、前記のような方式によれば、昇降路電線１を円形に作りケーブルタイで固定させ、被覆を脱皮するなど、多数の作業段階を経なければならない。そのため、作業がややこしくて複雑であるという欠点が存在し、時間が経つにつれて昇降路電線１の自重によってケーブルタイが解体され、円形部がほどけてホールボタン３またはインジケーター４と昇降路電線１との連結が切れるなどの問題が発生するおそれが存在する。
【０００５】
前記のような問題点を解決するために、本出願人が提案した特許文献１では、平面帯状の被覆の内部に複数の通信線が平行に配置された昇降路電線と、前記昇降路電線の各通信線とホールボタンまたはインジケーターとを互いに連結する分岐線と、前記昇降路電線の被覆を切開した後、内側に挿入されて各通信線と接続される端子体が装着された端子ブロックと、前記端子ブロックに圧搾して結合され、通信線と端子体が正確な位置に互いに接続された状態で昇降路電線と端子ブロックとを互いに固定させる固定ブロックと、を含んでなるものが開示されている。
【０００６】
前記特許文献１では、断面円形のケーブルでなる従来の昇降路電線を平面帯状に形成する。その後、内部に平行に配置された各通信線と接続される端子体が装着された端子ブロックを、昇降路電線に結合する。その後、固定ブロックによって昇降路電線と端子ブロックとを互いに接続された状態で固定し、前記端子ブロックに形成された端子ホールに分岐線の棒端子をそれぞれ結合して固定している。これによれば、従来の昇降路電線の分岐連結のために手作業で被覆を脱皮する必要がなく、昇降路電線内部の各通信線の区分が容易である利点がある。
【先行技術文献】
【特許文献】
【０００７】
【特許文献１】大韓民国登録実用新案第２０−４４８６９３号明細書
【発明の概要】
【発明が解決しようとする課題】
【０００８】
しかし、前記端子ブロックに形成された端子ホールに分岐線の棒端子を個別的に連結しなければならず、前記分岐線の棒端子が接続されるべき昇降路電線の通信線と一致しているかを確認した後に連結しなければならない問題点がある。
したがって、本発明は、前記のような問題点を解決するためになされたもので、昇降路電線と分岐線との連結を容易に行うことできるようにする技術を提供することを目的とする。
。
【課題を解決するための手段】
【０００９】
前記のような目的を達成するために、本発明は、平面帯状の被覆内部に複数の通信線が一定間隔で離隔して平行に配置された昇降路電線と；昇降路電線の各通信線とホールボタンまたはインジケーターを互いに連結する分岐線と；前記昇降路電線の一側面をカバーし、一側で昇降路電線の被覆を切開した後に内側に挿入して各通信線と接続される入力端子と他側で前記分岐線と接続される出力端子とが一体的に形成された電線端子体が装着された端子ブロックと；前記分岐線の一側面をカバーし、一側で分岐線の被覆を切開した後に内側に挿入されて各通信線と接続される入力端子部と他側で前記昇降路電線と接続される出力端子部とが一体的に形成された分岐端子体が装着された分岐ブロックと；前記昇降路電線の他側面をカバーし、前記端子ブロックと圧搾して結合され、通信線と電線端子体が互いに接続された状態で昇降路電線と端子ブロックを互いに固定させる第１固定ブロックと；前記分岐線の他側面をカバーし、前記分岐ブロックと圧搾して結合され、通信線と分岐端子体が互いに接続された状態で分岐線と分岐ブロックを互いに固定させる第２固定ブロックと；前記端子ブロックと分岐ブロックの外周面を取り囲んで結合するカバーとを含んでなる、昇降路電線分岐連結構造を提供する。
【００１０】
前記電線端子体は、前記昇降路電線の内部に平行に配置された通信線に接続された後に短絡を防止するために、ジグザグ状に配列されていることができる。
前記分岐端子体は、前記電線端子体の出力端子と接するために、出力端子部が折り曲げられていることができる。
前記端子ブロックと第１固定ブロック及び前記分岐ブロックと第２固定ブロックはフック結合することができる。
【００１１】
前記端子ブロックと分岐ブロックの間には密閉リングがさらに備えられることができる。
前記昇降路電線分岐連結構造は、前記昇降路電線の両側面に備えられ、昇降路電線と接触する端子ブロック及び第１固定ブロックの間を密閉させる防水材を含むことができる。
昇降路電線分岐連結構造は、前記分岐線の両側面に備えられ、分岐線と接触する分岐ブロック及び第２固定ブロックの間を密閉させる防水材を含むことができる。
【００１２】
前記昇降路電線と分岐線には通信線が配置された部分の外被に凹溝が形成され、前記第１固定ブロックと第２固定ブロックには前記凹溝に挿入される突起が一定間隔で形成されることができる。
【図面の簡単な説明】
【００１３】
【図１】従来の昇降路電線分岐連結構造を示す概略図である。
【図２】本発明による昇降路電線分岐連結構造を示す斜視図である。
【図３Ａ】図２の分解斜視図である。
【図３Ｂ】図３ａの部分拡大図である。
【図４】（ａ）は本発明によるコネクターの電線端子体の斜視図であり、（ｂ）は分岐端子体の斜視図である。
【図５Ａ】本発明による昇降路電線の分岐連結方法を順次示す工程図である。
【図５Ｂ】本発明による昇降路電線の分岐連結方法を順次示す工程図である。
【図５Ｃ】本発明による昇降路電線の分岐連結方法を順次示す工程図である。
【図６】本発明による昇降路電線分岐連結された状態を示す図である。
【発明を実施するための形態】
【００１４】
以下、添付図面を参照して本発明による昇降路電線分岐連結構造の好適な具現例を説明する。
図２〜図６に示すように、本発明によって昇降路電線１を分岐して各階のホールボタン３及びインジケーター４に連結するために、昇降路電線１、コネクターＣ、及び分岐線２を備える。
【００１５】
前記昇降路電線１は平面帯状に形成され、ウレタン被覆１ｂの内部に複数本の通信線１ａが一定間隔で離隔して平行に配置されている。前記通信線１ａが配置された部分のウレタン被覆１ｂは、四角形または円弧形に突出することが好ましい。また、それぞれの通信線１ａが配置された部分の被覆１ｂには凹溝１ｃが形成される。
前記昇降路電線１は長さ方向に長く延在しており、付加のブラケットまたは固定クリップなどの固定手段によって昇降路壁面に垂直に固定設置される。
【００１６】
前記凹溝１ｃは、後述する第１固定ブロック３０ａに形成された突起３４ａが挿入されるもので、第１固定ブロック３０ａに配置される昇降路電線１の遊動を防止するためのものである。
このような昇降路電線１の構造によれば、各通信線１ａが所定位置に所定間隔で離隔して配置されるので、通信線１ａ相互間の区別が非常に容易であって、接続すべき通信線を誤って連結して通信障害を引き起こすおそれがなく、作業が容易である利点を持つ。
【００１７】
前記コネクターＣは、例えば図３Ａ等に示されるように、昇降路電線１の分岐連結のために備えられる連結手段で、端子ブロック１０、分岐ブロック２０、第１固定ブロック３０ａ、第２固定ブロック３０ｂ、及びカバー４０でなる。
前記端子ブロック１０は、例えば図３Ａ等に示されるように、前記昇降路電線１の一側面をカバーするとともに、昇降路電線１の各通信線１ａと後述する分岐線２を連結するためのブロック体であり、胴体は概して合成樹脂材でなり、内部に電気伝導性電線端子体１１がインサート射出方式で装着される。さらに、前記端子ブロック１０は、左右両端に、後述する第１固定ブロック３０ａのフック部材３１ａが挿入されるフック孔１２が形成され、上面には、後述する分岐ブロック２０にインサート射出方式で装着された分岐端子体２１を連結するための端子ホール１４（図３Ａ、図３Ｂ参照）及び防水のために挿入される密閉リング５０のための挿着溝１５が形成されている。さらに、前記端子ブロック１０は、正面及び背面には、後述するカバー４０の結合孔４１に挿入固定される結合突起１３（図３Ａ、図３Ｂ参照）が複数配設される。
【００１８】
この際、前記フック孔１２には、図５Ａに示すように、挿入されたフック部材３１を固定するための係合突起１２１がさらに備えられる。
前記電線端子体１１は、一端側で昇降路電線１の被覆１ｂを切開した後、電線の内側に挿入されて各通信線１ａと接続される入力端子１１１と、他端側で後述する分岐ブロック２０に装着された分岐端子体２１が接続される出力端子１１３とが一体的に形成された電気伝導体である。
【００１９】
この際、前記電線端子体１１は前記端子ブロック１０にインサート射出方式で装着され、分岐端子体２１の配置に対応して配置される。前記電線端子体１１は、前記昇降路電線１の内部に平行に配置される通信線１ａに接続されるとき、各電線端子体１１間の短絡が発生することを防止するために、分岐端子体２１の配置に対応してジグザグ状に配列されることが好ましい。
【００２０】
図４のａに示すように、前記電線端子体１１は、前記入力端子１１１の先端が昇降路電線１の被覆１ｂを切開して挿入可能なように、先端を有する刃部が形成されて端子ブロック１０の一側に突出している。、電線端子体１１の中央には、昇降路電線１の通信線１ａの一本が挿入される接続スリット１１２が形成されるように二枝状の構造に形成される。この際、前記接続スリット１１２は、電線端子体１１の長手方向に沿って長く延設される。
【００２１】
この際、前記入力端子１１１は昇降路電線１の被覆１ｂを切開した後に通信線１ａと接続される長さに形成され、前記昇降路電線１の被覆１ｂを完全に貫通してしまわない長さに形成されることが好ましい。
前記出力端子１１３は、入力端子１１１の後端に連結され、後述する分岐ブロック２０の出力端子部２１３と接続される部分で、図４の（ａ）に示すように、入力端子１１１の後端から長さ方向に伸びて端子ブロック１０の端子ホール１４に差し込まれる。前記端子ホール１４に分岐ブロック２０の出力端子部２１３が挿入される場合、挿入された出力端子部２１３と端子ブロック１０の出力端子１１３が面接触することで、電気的に通電されるものである。
【００２２】
この際、前記出力端子１１３には出力端子部２１３と接する接触面に円形突起１１４がさらに突設されることができ、前記円形突起１１４は、前記端子ホール１４に挿入される出力端子１１３と出力端子部２１３との接触が緩い場合、二つの端子間を効率良く通電するようにするためのものである。
図４の（ｂ）は、後述する分岐ブロック２０にインサート射出方式で装着される分岐端子体２１の構造を示すものである。入力端子部２１１は、前述した電線端子体１１の入力端子１１１と同一形態を有するもので、図３Ａ等に示される分岐線２の被覆２ｂを切開した後、内部に配置された各通信線２ａと接続される。出力端子部２１３は、前記端子ブロック１０に形成された端子ホール１４に挿入されるように、分岐ブロック２０の外側に突出した形態をなしている。また、出力端子部２１３は、前記端子ホール１４の内周面に配置された電線端子体１１の出力端子１１３に重畳する形態で端子ホール１４に挿入されるように、分岐端子体２１の入力端子部２１１から延在する部分に対して屈曲する形態をなす。
【００２３】
以上、前記電線端子体１１及び分岐端子体２１の構造を具体的に説明したが、入力端子１１１及び入力端子部２１１は昇降路電線１または分岐線２の被覆１ｂ、２ｂを切開した後に内部に挿入されて通信線１ａ、２ａと接続されるとともに、出力端子１１３及び出力端子部２１３が互いに接続されることができるものであれば、その構造には特に制限がないと言える。例えば、電線端子体１１の円形突起１１４は必須の構成ではなく、また、分岐端子体２１の出力端子部２１３は必ずしも屈曲する形態に形成されている必要はない。
【００２４】
前記分岐ブロック２０は、分岐線２の一側面をカバーするとともに前記端子ブロック１０に結合して昇降路電線１と分岐線２を通電させるためのブロック体で、胴体は概して合成樹脂材でなり、内部に電気伝導性分岐端子体２１がインサート射出方式で装着されている。
また、前記分岐ブロック２０には、左右両端に後述する第２固定ブロック３０ｂのフック部材３１ｂが挿入されるフック孔２２が形成され、前記端子ブロック１０と接触する面に密閉リング５０が挿入される挿着溝２５が形成されている。また、前記分岐ブロック２０の上面には、前記分岐端子体２１の入力端子部２１１が位置する側に結合される分岐線２が外側に突出することを防止するための遮断具２４が形成され、正面及び背面には、後述するカバー４０の結合孔４１に挿入固定される結合突起２３が複数配設される。
【００２５】
また、前記フック孔２２には、後述する第２固定ブロック３０ｂに形成された係合孔３２ｂに挿されて係合される係合突起２２１がさらに形成される。
前記遮断具２４は、分岐線２の端部を支持するためのもので、図５Ａ等に示すように、入力端子部２１１が配置される方向に平行な、分岐ブロック２０の左右方向に配置され、前記入力端子部２１１が分岐線２の被覆２ｂを切開した後、内部の通信線２ａに接続して固定されるとき、分岐線２が遊動することを防止する。
【００２６】
前記第１固定ブロック３０ａは、昇降路電線１の他側面をカバーして、互いに接続された昇降路電線１と端子ブロック１０とを固定するブロック体である。第１固定ブロック３０ａの左右両端にそれぞれフック部材３１ａが突設され、前記昇降路電線１が配置される内側面３３ａに、昇降路電線１に形成された凹溝１ｃに挿入される突起３４ａが備えられることにより、配置された昇降路電線１が作業中に離脱することを防止する。
【００２７】
前記フック部材３１ａは、端子ブロック１０の両端に形成されたフック孔１２に差し込まれる。この際、前記フック孔１２に形成された係合突起１２１が挿入固定される係合孔３２ａがフック部材３１ａに形成されることにより、結合時の固定力を向上させることができる。
前記第１固定ブロック３０ａの内側面３３ａは、配置される昇降路電線１の厚さに相応する深さに形成され、端子ブロック１０と第１固定ブロック３０ａとの間に配置された昇降路電線１を加圧して固定するようにする。
【００２８】
前記第２固定ブロック３０ｂは、分岐線２の他側面をカバーし、互いに接続された分岐線２と分岐ブロック２０とを固定させるブロック体である。第２固定ブロック３０ｂの左右両端にそれぞれフック部材３１ｂが突設され、前記分岐線２が配置される内側面３３ｂに、分岐線２に形成された凹溝２ｃに挿入される突起３４ｂが備えられることにより、配置された分岐線２が作業中に離脱することを防止することになる。
【００２９】
前記第２固定ブロック３０ｂは、前述した第１固定ブロック３０ａと構成が同様であるので、前述した第１固定ブロック３０ａの説明で詳細な説明を代替する。
前記カバー４０は、端子ブロック１０及び分岐ブロック２０がそれぞれ第１固定ブロック３０ａと第２固定ブロック３０ｂとによって昇降路電線１及び分岐線２を押圧固定した状態で、端子ブロック１０及び分岐ブロック２０の外部を取り囲んで結合する。これにより、外部から異物及び湿気が流入することを遮断することができる。内部が空いた四角形状の箱体の形状に形成され、前記端子ブロック１０及び分岐ブロック２０の正面及び背面にそれぞれ形成された結合突起１３、２３が結合される結合孔４１が形成されている。
【００３０】
前記分岐線２は、昇降路電線１の各通信線１ａと、ホールボタン３またはインジケーター４と、を互いに連結する電線で、前記昇降路電線１を連結する距離分だけ切断して形成されたものであり、前記昇降路電線１と同様な形態及び構成でなる。
したがって、自動化設備を用いて大量で製造した後、適切な長さに切断して形成することができるので、製造の便宜性を向上させる利点があるものである。
【００３１】
前記端子ブロック１０及び分岐ブロック２０それぞれに形成された挿着溝１５、２５に配置される密閉リング５０は、昇降路の内部に水が流入する場合に備えて、昇降路電線１の分岐連結部を防水処理するための手段である。図３Ａ及び図３Ｂに示すように、密閉リング５０は、内部が空いた略四角リング状に構成され、図５Ｃに示すように、端子ブロック１０と分岐ブロック２０とが結合されるとき、昇降路電線１の両側の結合部位に配置されることで、分岐ブロック２０に装着された分岐端子体２１と、端子ブロック１０に装着された電線端子体１１と、の結合部に水が流入することを防止して、漏電及びその他の感電事故を防止することができる。
【００３２】
さらに、前記昇降路電線１及び分岐線２には、前記端子ブロック１０と分岐ブロック２０と接触する部位に、防水処理のために、防水材５１を接着することができる。前記防水材５１は、昇降路電線１の被覆１ｂを切開した後に挿入される入力端子１１１と昇降路電線１との間に配置され、外部から水が流入することを防止する。前記分岐ブロック２０と分岐線２との間にも防水材５１が配置されて同一効果を得ることができる。
【００３３】
前記防水材５１は、例えばテープ、両面テープ、パッド、シートなどでなって、前記接触部位に付着または配置されることができ、例えばシリコンなどの防水物質を塗布する形態でなることができる。
図５Ａ〜図５Ｃは本発明による昇降路電線１の分岐連結方法を順次示し、図６は昇降路電線１を分岐連結した状態を示す図である。
【００３４】
図５Ａ〜図５Ｃに示すように、まず第１固定ブロック３０ａの内側面３３に昇降路電線１を配置させ、昇降路電線１に形成された凹溝１ｃに、第１固定ブロック３０ａに形成された突起３４が挿入されるようにして昇降路電線１の位置を固定する。その後、端子ブロック１０の電線端子体１１の入力端子１１１が第１固定ブロック３０ａの内側面３３ａに対向するようにし、各入力端子１１１を昇降路電線１の各通信線１ａ上に位置させた後、手作業、治具などの圧搾器具を用いて、又は機械的に圧搾する。
【００３５】
圧搾過程で、前記電線端子体１１の入力端子１１１の先端が昇降路電線１の被覆１ｂを切開しながら挿入され、入力端子１１１の接続スリット１１２に各通信線１ａが挿入されることにより通信線１ａと電線端子体１１とが互いに電気的に接続される。
同時に、第１固定ブロック３０ａの左右両端に形成されたフック部材３１ａが端子ブロック１０のフック孔１２に差し込まれ、前記フック孔１２に形成された係合突起１２１がフック部材３１ａの係合孔３２ａに係合されることで電線端子体１１と昇降路電線１とが電気的に接続された状態で堅固に固定される。
【００３６】
次に、前記のように第１固定ブロック３０ａと昇降路電線１とが結合された端子ブロック１０に、カバー４０を結合することになる。この際、前記端子ブロック１０の正面及び背面にそれぞれ形成された結合突起１３が前記カバー４０に形成された結合孔４１に結合されることにより、外部から異物及び湿気が流入することを防止することになる。具体的には、図５Ａに示すカバー４０の４つの結合孔４１のうち、下部の結合孔４１に端子ブロック１０の結合突起１３が係合される。
【００３７】
ついで、前記分岐ブロック２０を前記カバー４０の内側に向けて前記端子ブロック１０と結合し、分岐ブロック２０にインサート装着された分岐端子体２１の出力端子部２１３を前記端子ブロック１０の端子ホール１４に差し込む。
前記分岐ブロック２０の分岐端子体２１の入力端子部２１１が位置する側に、分岐線２が内側面３３ｂに予め配置された第２固定ブロック３０ｂを配置した後、手作業、治具などを用いて、又は機械的に分岐ブロック２０と分岐線２を圧搾結合する。これにより、前記入力端子部２１１の先端が、分岐線２の被覆２ｂを切開した後に分岐線２内側の通信線２ａと接続されるようにする。この際、作業中に分岐線２が位置離脱することを防止するために、分岐線２の端部を前記分岐ブロック２０に形成された遮断具２４によって支持することになる。
【００３８】
その後、前記分岐線２の他端をホールボタン３またはインジケーター４に連結すれば全体連結作業が出来上がる。
前記分岐線２が入力端子部２１１と接続されることにより、出力端子部２１３と接続された出力端子１１３を介して昇降路電線１が分岐線２と連結される。
前記分岐ブロック２０と端子ブロック１０とが結合された結合部位には、密閉リング５０がさらに配置されて防水効果を得ることができ、さらに前記分岐ブロック２０と端子ブロック１０との結合部位を取り囲むカバー４０が備えられることで、外部から異物または湿気などが流入することを防止することができる。
【００３９】
このような方法によって、図６に示すように、昇降路電線１が各階に安定的に分岐して連結され、別途の手作業による電線脱皮段階、円形部形成段階、結線段階、絶縁テープのテーピング段階などの複雑な作業段階を経る必要がなく、作業工程が容易である。例えば、上述のように昇降路電線１及び分岐線２の被覆の脱皮は、昇降路電線１と第１固定ブロック３０ａとの圧搾過程及び分岐線２第２固定ブロック３０ｂとの圧搾過程により行うことができ、従来のように昇降路電線の分岐連結のために手作業で被覆を脱皮する必要がなく、昇降路電線１と分岐線２との結合が容易である。また、昇降路電線１及び分岐線２内部の各通信線は、所定位置に所定間隔で離隔して配置されて被覆されて構成されているので、例えば通信線１ａが固定されているため、通信線１ａ相互間の区別が非常に容易である。また、昇降路電線１及び分岐線２の被覆を切開した従来の方法によれば、内部の通信線と接続する端子体との位置を調節する際に、内部の通信線と接続する端子体とが互いに接触することがあるが、本発明によれば、電線脱皮段階、円形部形成段階、結線段階、絶縁テープのテーピング段階などの段階を経ないため、前述のような接触を防止することもできる。
【００４０】
また、昇降路電線１と分岐線２とを一回で連結することができるので、作業工程が容易である。、さらに、現場で直接に作業せずに、昇降路電線１と、コネクターＣ及び分岐線２と、を工場でハーネスタイプで前もって大量で製造した後、現場で分岐線２をホールボタン３及びインジケーター４に連結すれば良いので、生産自動化による人件費節減の効果を達成することができるものである。
【００４１】
以上、添付図面を参照して本発明による昇降路電線分岐連結構造を説明したが、本発明はこのような説明に限定されなく、添付の実用新案登録請求範囲が有する思想の範疇内で当業者によって多様な変形及び変更が可能であり、このような変形及び変更も本発明の保護範囲に属するものとして解釈されなければならない。
【産業上の利用可能性】
【００４２】
本発明は、昇降機を制御する機械室と建物内側昇降機出入口の一側に備えられ、使用者が各階で昇降機を呼び出すのに使われるホールボタンと昇降機が位置する階数を指示するインジケーター間の通信のために昇降路の壁面に設置される昇降路電線の分岐連結構造に提供可能である。
【符号の説明】
【００４３】
１    昇降路電線
２    分岐線
１ａ、２ａ    通信線
１ｂ、２ｂ    被覆
１ｃ、２ｃ    凹溝
１０    端子ブロック
２０    分岐ブロック
３０ａ    第１固定ブロック
３０ｂ    第２固定ブロック
４０    カバー
５０    密閉リング
１１    電線端子体
１２、２２    フック孔
１３、２３    結合突起
１５、２５    挿着溝
１４    端子ホール
１１１    入力端子
１１２    接続スリット
１１３    出力端子
１１４    円形突起
２１    分岐端子体
２１１    入力端子部
２１２    接続スリット
２１３    出力端子部
２４    遮断具
３１ａ、３１ｂ    フック部材
３２ａ、３２ｂ    係合孔
３３ａ、３３ｂ    内側面
３４ａ、３４ｂ    突起
４１    結合孔
５１    防水材
Ｃ    コネクター
【図１】
2012030969.tif 000003
【図２】
2012030969.tif 000004
【図３Ａ】
2012030969.tif 000005
【図３Ｂ】
2012030969.tif 000006
【図４】
2012030969.tif 000007
【図５Ａ】
2012030969.tif 000008
【図５Ｂ】
2012030969.tif 000009
【図５Ｃ】
2012030969.tif 000010
【図６】
2012030969.tif 000011